(57)【特許請求の範囲】
【請求項１】
沈澱池の底面を走行可能な掻寄台車を、上記沈澱池内に渡されてこの掻寄台車に連結されたロープを巻き取り装置のドラムに巻き取ることにより走行させて、上記沈澱池の底面に堆積したスラッジを掻き寄せて排出するスラッジ掻寄機であって、上記巻き取り装置においては、上記ドラムが、上記沈澱池の底面に対して立設させられた該沈澱池の側壁に対して突き出すように上記沈澱池上に配設されて、このドラムのドラム回転軸線が上記側壁に対して直交させられており、１本の上記ロープの両端がそれぞれ上記ドラムの巻き取り部におけるドラム回転軸線方向の両端部に連結されるとともに、このロープの上記沈澱池内に渡された部分の途中に上記掻寄台車が連結されていて、該ドラムを上記ドラム回転軸線回りに回転させることにより、上記ロープの一端側は上記ドラム回転軸線方向の一端部側に向けて巻き解かれて繰り出されるとともに、このロープの一端側が繰り出された上記巻き取り部に、上記ロープの他端側が上記ドラム回転軸線方向の一端部側に向けて巻き取られることを特徴とするスラッジ掻寄機。
【請求項２】
沈澱池の底面を走行可能な掻寄台車を、上記沈澱池内に渡されてこの掻寄台車に連結されたロープを巻き取り装置のドラムに巻き取ることにより走行させて、上記沈澱池の底面に堆積したスラッジを掻き寄せて排出するスラッジ掻寄機であって、上記巻き取り装置においては、上記ドラムが、上記沈澱池の底面に対して立設させられた該沈澱池の側壁に対して突き出すように上記沈澱池上に配設されて、このドラムのドラム回転軸線が上記側壁に対して直交させられており、１台の上記掻寄台車と２本の上記ロープとを備えて、一方のロープの一端が上記ドラムの巻き取り部におけるドラム回転軸線方向の一端部に連結されるとともに、この一方のロープの他端は上記掻寄台車に連結され、他方のロープの一端は上記巻き取り部の他端部に連結されるとともに、この他方のロープの他端は上記掻寄台車に連結されていて、該ドラムを上記ドラム回転軸線回りに回転させることにより、上記一方のロープの一端側は上記ドラム回転軸線方向の一端部側に向けて巻き解かれて繰り出されるとともに、この一方のロープの一端側が繰り出された上記巻き取り部に、上記他方のロープの一端側が上記ドラム回転軸線方向の一端部側に向けて巻き取られることを特徴とするスラッジ掻寄機。
【請求項３】
沈澱池の底面を走行可能な掻寄台車を、上記沈澱池内に渡されてこの掻寄台車に連結されたロープを巻き取り装置のドラムに巻き取ることにより走行させて、上記沈澱池の底面に堆積したスラッジを掻き寄せて排出するスラッジ掻寄機であって、上記巻き取り装置においては、上記ドラムが、上記沈澱池の底面に対して立設させられた該沈澱池の側壁に対して突き出すように上記沈澱池上に配設されて、このドラムのドラム回転軸線が上記側壁に対して直交させられており、複数の上記掻寄台車と２本の上記ロープと複数の上記掻寄台車を直列に連結するロープとを備えて、２本の上記ロープのうち一方のロープの一端が上記ドラムの巻き取り部におけるドラム回転軸線方向の一端部に連結されるとともに、この一方のロープの他端は直列に連結された複数の上記掻寄台車のうち一方の端の掻寄台車に連結され、他方のロープの一端は上記巻き取り部の他端部に連結されるとともに、この他方のロープの他端は直列に連結された複数の上記掻寄台車のうち他方の端の上記掻寄台車に連結されていて、該ドラムを上記ドラム回転軸線回りに回転させることにより、上記一方のロープの一端側は上記ドラム回転軸線方向の一端部側に向けて巻き解かれて繰り出されるとともに、この一方のロープの一端側が繰り出された上記巻き取り部に、上記他方のロープの一端側が上記ドラム回転軸線方向の一端部側に向けて巻き取られることを特徴とするスラッジ掻寄機。
【請求項４】
上記ロープは複数の滑車に巻き掛けられて上記沈澱池内に渡されており、これら複数の滑車のうち上記ドラムから延びる上記ロープが最初に巻き掛けられる第１滑車は、上記側壁、または該側壁の頂部に連なり上記沈澱池に保持された処理水の水面上に位置する地上部に取り付けられていて、この第１滑車の滑車回転軸線と上記ドラム回転軸線とが、互いに平行かつ上記側壁に対して直交させられていることを特徴とする請求項１から請求項３のうちいずれか一項に記載のスラッジ掻寄機。
【請求項５】
上記ロープは複数の滑車に巻き掛けられて上記沈澱池内に渡されており、これら複数の滑車のうち上記ドラムから延びる上記ロープが最初に巻き掛けられる第１滑車と上記ドラムとの間で、上記ロープが、上記沈澱池の底面に対して斜めに延びる向きに渡されていることを特徴とする請求項１から請求項４のうちいずれか一項に記載のスラッジ掻寄機。
【発明の詳細な説明】
【技術分野】
【０００１】
本発明は、浄水処理設備等における沈澱池に設けられて、この沈澱池の底面に堆積するスラッジを掻寄台車によって掻き寄せて排出するスラッジ掻寄機に関するものである。
【背景技術】
【０００２】
このようなスラッジ掻寄機としては、スラッジを掻き寄せるスクレーパを備えた掻寄台車が沈澱池の底面に設けられたレールに沿って走行可能に配置され、この掻寄台車を、沈澱池内に渡されて滑車を介して巻き取り装置により巻き取り、巻き解かれるロープに連結して走行させるようにしたものが知られている。そして、例えば特許文献１には、このロープを巻き取り、巻き解く一対のドラムを上記巻き取り装置に備え、ロープの両端をこれらのドラムにそれぞれ連結して、一方のドラムでロープを巻き取るとともに他方のドラムではロープを巻き解いて繰り出していき、これによって掻寄台車を走行させるようにしたスラッジ掻寄機が記載されている。
【先行技術文献】
【特許文献】
【０００３】
【特許文献１】実開平１−６１９０４号公報
【発明の概要】
【発明が解決しようとする課題】
【０００４】
ところが、このように一対のドラムによってロープの巻き取り、巻き解きを行うようにした場合、いずれか一方のドラムにロープが巻き取られている状態で他方のドラムにはロープが巻き取られていない部分が常に生じているにも関わらず、両ドラムにはそれぞれロープを必要な分だけ巻き取ることが可能な長さや径を確保しなければならない。このため、ドラムの設置スペースやドラム自体の製造コストも、このロープを巻き取ることが可能な大きさのドラム２つ分が必要となる。
【０００５】
本発明は、このような背景の下になされたもので、巻き取り装置のドラムの小型化を図ることにより、ドラムの設置スペースやドラム製造コストの削減を促すことが可能なスラッジ掻寄機を提供することを目的としている。
【課題を解決するための手段】
【０００６】
上記課題を解決して、このような目的を達成するために、本発明は、沈澱池の底面を走行可能な掻寄台車を、上記沈澱池内に渡されてこの掻寄台車に連結されたロープを巻き取り装置のドラムに巻き取ることにより走行させて、上記沈澱池の底面に堆積したスラッジを掻き寄せて排出するスラッジ掻寄機であって、上記巻き取り装置においては、上記ドラムが、上記沈澱池の底面に対して立設させられた該沈澱池の側壁に対して突き出すように上記沈澱池上に配設されて、このドラムのドラム回転軸線が上記側壁に対して直交させられており、
１本の上記ロープの両端がそれぞれ上記ドラムの巻き取り部におけるドラム回転軸線方向の両端部に連結されるとともに、このロープの上記沈澱池内に渡された部分の途中に上記掻寄台車が連結されていて、該ドラムを上記ドラム回転軸線回りに回転させることにより、上記ロープの一端側は上記ドラム回転軸線方向の一端部側に向けて巻き解かれて繰り出されるとともに、このロープの一端側が繰り出された上記巻き取り部に、上記ロープの他端側が上記ドラム回転軸線方向の一端部側に向けて巻き取られることを特徴とし、
または、１台の上記掻寄台車と２本の上記ロープとを備えて、一方のロープの一端が上記ドラムの巻き取り部におけるドラム回転軸線方向の一端部に連結されるとともに、この一方のロープの他端は上記掻寄台車に連結され、他方のロープの一端は上記巻き取り部の他端部に連結されるとともに、この他方のロープの他端は上記掻寄台車に連結されていて、該ドラムを上記ドラム回転軸線回りに回転させることにより、上記一方のロープの一端側は上記ドラム回転軸線方向の一端部側に向けて巻き解かれて繰り出されるとともに、この一方のロープの一端側が繰り出された上記巻き取り部に、上記他方のロープの一端側が上記ドラム回転軸線方向の一端部側に向けて巻き取られることを特徴とし、
または、複数の上記掻寄台車と２本の上記ロープと複数の上記掻寄台車を直列に連結するロープとを備えて、２本の上記ロープのうち一方のロープの一端が上記ドラムの巻き取り部におけるドラム回転軸線方向の一端部に連結されるとともに、この一方のロープの他端は直列に連結された複数の上記掻寄台車のうち一方の端の掻寄台車に連結され、他方のロープの一端は上記巻き取り部の他端部に連結されるとともに、この他方のロープの他端は直列に連結された複数の上記掻寄台車のうち他方の端の上記掻寄台車に連結されていて、該ドラムを上記ドラム回転軸線回りに回転させることにより、上記一方のロープの一端側は上記ドラム回転軸線方向の一端部側に向けて巻き解かれて繰り出されるとともに、この一方のロープの一端側が繰り出された上記巻き取り部に、上記他方のロープの一端側が上記ドラム回転軸線方向の一端部側に向けて巻き取られることを特徴とする。
【０００７】
このように、上記構成のスラッジ掻寄機では、ドラムの巻き取り部の両端部に１本のロープの両端または２本のロープのそれぞれ一端が連結されていて、ドラムの回転により、１本のロープの一端側または一方のロープの一端側はドラム回転軸線方向の一端部側に向けて巻き解かれて繰り出されるとともに、こうしてロープの一端側が繰り出された後の巻き取り部に１本のロープの他端側または他方のロープの一端側がドラム回転軸線方向のやはり一端部側に向けて巻き取られるようになされており、すなわち１本のロープの一端側と他端側、または２本のロープのそれぞれ一端側が巻き取られる部分が１つの巻き取り部においてドラムの正逆方向の回転により交互に重なり合うようにされている。
【０００８】
従って、巻き取り部においてロープが常に巻き取られていない部分を、一対のドラムでロープを巻き取り、巻き解きする場合などに比べて小さくすることができ、この場合と同じ長さのロープを巻き取るときにはドラムの小型化を図ることができる。このため、ドラムの設置スペースもコンパクト化することができるとともに、ドラムの製造コストも削減することができ、効率的かつ経済的なスラッジ掻寄機を提供することができる。
【０００９】
また、一般的に上記ロープは複数の滑車に巻き掛けられて上記沈澱池内に渡されているが、これら複数の滑車のうち上記ドラムから延びるロープが最初に巻き掛けられる第１滑車が、上記沈澱池の底面に対して立設させられた該沈澱池の側壁に取り付けられている場合には、巻き取り装置のドラムもこの側壁に対して沈澱池上に突き出すように配設されることになる。そして、このような場合においても、上述のようにドラムの設置スペースがコンパクト化されていれば、こうしてドラムを沈澱池上に突き出すように支持する支持部材等も小さくて済み、一層効率的かつ経済的である。
【００１０】
また、こうして第１滑車が沈澱池の側壁に配置されて、巻き取り装置のドラムも沈澱池上に突き出すように配設されていれば、例えば第１滑車やドラムが沈澱池外の地上部にあって、この第１滑車から他の滑車を経てロープが沈澱池内に渡されているような場合に比べて滑車の数を削減することができ、コスト削減や構造の簡略化を図ることができるのは勿論、滑車によるロープの摩耗も抑制してロープ寿命の延長を図ることもできる。
【００１１】
さらに、このように第１滑車が沈澱池の側壁に取り付けられている場合や、この第１滑車が該側壁の頂部に連なり沈澱池に保持された処理水の水面上に位置する地上部に取り付けられている場合でも、この第１滑車の滑車回転軸線が、上記側壁に対して直交させられているときには、上記ドラムもそのドラム回転軸線が該側壁と直交するように、すなわち第１滑車の滑車回転軸線がドラム回転軸線に対して平行となるようにすることにより、本発明では、側壁からの第１滑車の突き出し位置を、上記ロープの一端側が巻き掛けられる第１滑車と他端側が巻き掛けられる第１滑車とで略等しい位置とすることができる。
【００１２】
すなわち、例えば特許文献１の第５図に示されているように、１つのドラムに２つの巻き取り部を設けてそれぞれ個別にロープの巻き取り、巻き解きを行うようにした場合、このドラムを、そのドラム回転軸線が側壁に対して直交する方向に突き出るように沈澱池上に配設するとともに、同じくこの側壁に滑車回転軸線が直交するように第１滑車を配設しようとすると、上記２つの巻き取り部の一方は側壁から大きく離れてしまうため、この巻き取り部のロープが巻き掛けられる第１滑車の側壁からの突き出し位置も大きくなってしまい、この第１滑車を安定して支持することができなくなるおそれが生じる。
【００１３】
ところが、これに対して本発明では、上述のようにロープの一端側と他端側とが巻き取られる部分が１つの巻き取り部において交互に重なり合うようにされているので、これらロープの一端側が最初に巻き掛けられる第１滑車と他端側が最初に巻き掛けられる第１滑車とで、沈澱池の側壁からの突き出し位置を略等しくすることができる。このため、いずれか一方の第１滑車が側壁から大きく突き出た位置に配置されることがなく、両第１滑車を安定して支持することが可能となるのである。
【００１４】
ところで、上述した特許文献１の第５図に関しては、フリートアングルの説明がなされている。すなわち、フリートアングルとは、ドラム回転軸線と滑車回転軸線とを平行にしてこれらの回転軸線を含む平面に対向する方向から見たときに、ドラム回転軸線に垂直に滑車から延ばした垂線と、滑車の中心とドラムの巻き取り部の両端部とを結ぶ斜線とがなす角度（片角）であり、このフリートアングルが大きくなると、ドラムにおいてはロープが乱巻きされたり乗り上がって巻かれたりするおそれがあるとともに、滑車においては縁部でロープが擦られて摩耗したりロープの脱落を生じたりするおそれがある。
【００１５】
そこで、このフリートアングルを小さくするために、上述のように複数の滑車に巻き掛けられて沈澱池内に渡されるロープは、これら複数の滑車のうちドラムから延びるロープが最初に巻き掛けられる上記第１滑車とドラムとの間で、沈澱池の底面に対して斜めに延びる向きに渡されるのが望ましく、これにより上記垂線と斜線とがともに延長されるのでフリートアングルが減少し、ドラムにおけるロープの乱巻きや乗り上がりおよび滑車におけるロープの摩耗や脱落を防いで円滑なスラッジの掻き寄せを行うことができる。
【００１６】
また、逆にフリートアングルを所定の規格の上限（例えば、クレーン構造規格では溝付きドラムの場合は４°、溝無しドラムの場合は２°）に設定した場合には、ドラムの長さを長くしてロープ巻き数を増やすことができ、従って上述のように必要な長さのロープをドラムの巻き取り部に巻き取り可能とする場合にこの巻き取り部の外径を小さくすることができるので、ドラムを回転駆動する巻き取り装置における駆動手段の駆動力低減を図ることが可能となる。
【発明の効果】
【００１７】
以上説明したように、本発明によれば、スラッジ掻寄機におけるロープの巻き取り装置のドラムの小型化を図ることができて、巻き取り装置の設置スペースをコンパクト化することができ、ドラムを沈澱池上に配置するような場合でも支持部材を削減できるとともにドラム自体の製造コストも削減することができて、効率的かつ経済的である。
【図面の簡単な説明】
【００１８】
【図１】本発明の一実施形態のスラッジ掻寄機が配設された沈澱池を示す概略図である。
【図２】図１に示す実施形態のスラッジ掻寄機の巻き取り装置におけるドラムを示す図である。
【図３】図１に示した実施形態の変形例のスラッジ掻寄機が配設された沈澱池を示す概略図である。
【発明を実施するための形態】
【００１９】
本発明に係る実施の形態を以下の図面を参照しつつ説明する。なお、以下の好ましい実施形態の説明は、本質的な例示に過ぎず、本発明、その適用あるいはその用途を制限することを意図するものではない。図１は、本発明の一実施形態のスラッジ掻寄機を備えた沈澱池を示す概略図であり、図２はこの実施形態のスラッジ掻寄機の巻き取り装置におけるドラムを示すものである。なお、図１に示す実施形態において、本発明のスラッジ掻寄機が設置される沈澱池Ａは、図示された底面Ｂ、この底面Ｂに対して垂直に立設された側壁Ｃ、Ｄ、およびこれら側壁Ｃ、Ｄの頂部に連なり、該沈澱池Ａに保持された処理水の水面上に位置する地上部Ｅの他に、説明のために図示を略してあるが、側壁Ｃ、Ｄのそれぞれ反対側に位置して底面Ｂに対し立設された対岸の側壁を有して槽状に形成されるとともに、底面Ｂの側壁Ｃ側には掻き寄せたスラッジを排出するための排泥ピットＦを備えている。また、側壁Ｃおよび対岸の側壁、若しくは側壁Ｄおよび対岸の側壁のうち少なくとも１対の対向する側壁には図示しない原水流入口、および処理水流出口が設けられている。
【００２０】
また、底面Ｂには、やはり図示を略するレールが上記側壁Ｃとその対岸の側壁との間に敷設されており、このレールには掻寄台車１が載置されていて、この掻寄台車１の図示されない車輪がレール上を転動することにより、掻寄台車１がレールに沿って上記側壁Ｃとその対岸の側壁との間を往復して走行可能とされている。なお、こうして往復走行する掻寄台車１の位置は、少なくとも側壁Ｃ側と対岸の側壁側とに設けられたリミットスイッチ等によって確認可能とされ、これら側壁Ｃ側と対岸の側壁側との所定の位置で掻寄台車１が停止可能とされている。
【００２１】
ここで、本実施形態では、２台の掻寄台車１が平行に底面Ｂ上を往復走行可能に配置されている。また、各掻寄台車１にはスクレーパ１Ａが備えられていて、掻寄台車１が上記排泥ピットＦ側に向かうときにはこのスクレーパ１Ａが降下して底面Ｂに堆積したスラッジを掻き寄せるとともに、掻寄台車１が排泥ピットＦから離れるときにはスクレーパ１Ａが跳ね上げられてスラッジを巻き込まないようにされている。
【００２２】
これらの掻寄台車１には、沈澱池Ａの上記側壁Ｃ、および対岸の側壁に設置された複数の滑車２に巻き掛けられて延設されたロープ（ワイヤロープ）３が連結されており、地上部Ｅに設けられた巻き取り装置４によってこのロープ３を巻き取り、また巻き解いて繰り出すことにより、掻寄台車１が走行させられる。このロープ３は、その両端が巻き取り装置４の外形円柱状をなす単一のドラム４Ａの外周面に設けられた巻き取り部４Ｂに固定されて連結されており、このドラム４Ａをモータや減速機等からなる駆動手段４Ｃによって回転駆動させることにより、ロープ３の巻き取り部４Ｂへの巻き取りと巻き取り部４Ｂからの巻き解きによる繰り出しとが行われる。なお、本発明におけるロープは、金属製のワイヤロープのほかに、化学繊維、天然繊維などからなるロープを採用することができる。
【００２３】
具体的に、本実施形態では、巻き取り装置４は沈澱池Ａの底面Ｂに対向する平面視において２台の掻寄台車１の走行経路の間の中央に位置するようにして地上部Ｅに設置され、ドラム４Ａが、そのドラム回転軸線Ｏを上記側壁Ｃに対して直交させるように、すなわち掻寄台車１の走行経路に対しては平行として、該側壁Ｃから沈澱池Ａ上に突き出すように配設されている。また、このドラム４Ａの巻き取り部４Ｂに両端が連結されたロープ３は、その一端から他端に向けて、ドラム４Ａから側壁Ｃに沿って２台の掻寄台車１のうち一方の走行経路側に向かうように底面Ｂに対して斜めに延びて沈澱池Ａ内に没入し、上記複数の滑車２のうちこのロープ３の一端側部分３Ａが最初に巻き掛けられる一端側の第１滑車２Ａを介してさらに底面Ｂ側に延び、次いで底面Ｂに沿って上記対岸の側壁に向けて延びつつ一方の掻寄台車１と連結させられている。
【００２４】
さらに、ロープ３は、この対岸の側壁に沿って上記一方の掻寄台車１とは反対側に延びた後、対岸の側壁から底面Ｂに沿って側壁Ｃ側に延びつつ他方の掻寄台車１と連結され、次いで側壁Ｃに沿って地上部Ｅ側に向かい、ドラム４Ａから延びるロープ３の他端側部分３Ｂが最初に巻き掛けられる他端側の第１滑車２Ｂを介して底面Ｂに対し斜めに延びながら沈澱池Ａから出てドラム４Ａの巻き取り部４Ｂに戻るような延設経路で巻き回されて沈澱池Ａに渡されている。なお、これらの第１滑車２Ａ、２Ｂは、その滑車回転軸線Ｘが側壁Ｃに直交させられ、すなわちドラム回転軸線Ｏと平行となるようにして、該側壁Ｃに設けられたブラケット等の支持部材により支持される。なお、第１滑車２Ａ、２Ｂは、その滑車回転軸線Ｘがドラム回転軸線Ｏと平行となるように支持されていれば良く、例えば図３に示す変形例のように地上部Ｅにブラケット等の支持部材を設けるなどして、第１滑車２Ａ、２Ｂのうち一方（図３では第１滑車２Ａ）あるいは双方を、側壁Ｃから沈澱池Ａ上に突き出るようにして地上部Ｅに設置することも可能である。
【００２５】
従って、本実施形態では、ドラム４Ａを正回転させてロープ３の一端側部分３Ａを巻き取るとともに他端側部分３Ｂを巻き解いて繰り出し、またドラム４Ａを逆回転させてロープ３の他端側部分３Ｂを巻き取るとともに一端側部分３Ａを巻き解いて繰り出す操作を交互に行うことにより、１本のロープ３で両方の掻寄台車１が同時に互いに反対向きに走行させられる。
【００２６】
そして、このロープ３の両端は、それぞれドラム４Ａの巻き取り部４Ｂにおけるドラム回転軸線Ｏ方向の両端部に巻き付け方向が逆方向となるように連結されて取り付けられていて、例えば上記一端側部分３Ａは巻き取り部４Ｂの一端部（図２において左端部）に取り付けられるとともに、他端側部分３Ｂは巻き取り部４Ｂの他端部（図２において右端部）に取り付けられており、ドラム４Ａをドラム回転軸線Ｏ回りに図２に矢線Ｒ１で示すように正回転させることにより、ロープ３の一端側部分３Ａを図２に矢線ｒ１Ａで示すように巻き解いて繰り出すとともに他端側部分３Ｂを矢線ｒ１Ｂで示すように巻き取ると、これら一端側部分３Ａと他端側部分３Ｂとはドラム回転軸線Ｏ方向には巻き取り部４Ｂの上記一端部側に向けて巻き取り、巻き解かれるようにされ、このときロープ３は、一端側部分３Ａが繰り出された部分の巻き取り部４Ｂに他端側部分３Ｂが巻き取られるようにされている。
【００２７】
また、これとは逆にドラム４Ａをドラム回転軸線Ｏ回りに図２に矢線Ｒ２で示すように逆回転させてロープ３の他端側部分３Ｂを図２に矢線ｒ２Ｂで示すように巻き解いて繰り出すとともに一端側部分３Ａを矢線ｒ２Ａで示すように巻き取ると、これらロープ３の一端側部分３Ａと他端側部分３Ｂとはドラム回転軸線Ｏ方向には巻き取り部４Ｂの上記他端部側に向けて巻き取り、巻き解かれるようにされ、このときもロープ３は、他端側部分３Ｂが繰り出された部分の巻き取り部４Ｂに一端側部分３Ａが巻き取られるようにされている。なお、ドラム４Ａ外周の巻き取り部４Ｂには、その両端部のロープ３の両端が取り付けられた部分を結ぶように、ドラム回転軸線Ｏ回りに螺旋状の案内溝が形成されている。
【００２８】
このように構成されたスラッジ掻寄機では、こうしてドラム４Ａの正逆の回転により、巻き取り部４Ｂにおいてロープ３の一端側部分３Ａが繰り出された部分に他端側部分３Ｂが巻き取られ、また他端側部分３Ｂが繰り出された部分に一端側部分３Ａが巻き取られて、１つの巻き取り部４Ｂでロープ３の一端側部分３Ａと他端側部分３Ｂとが巻き取られる部分が交互に重なり合うようにされており、巻き取り部４Ｂにおいてロープ３が巻かれていない部分が生じるのを、例えば一対のドラムの双方に巻き取り部を設けたりしてロープの巻き取りと巻き解きによる繰り出しとを別々に行う場合に比べ、少なくすることができる。
【００２９】
すなわち、ドラム４Ａの巻き取り部４Ｂにおけるロープ３の巻き取り長さは、掻寄台車１を側壁Ｃと対岸の側壁との間で走行させるのに必要なロープ３の長さよりも僅かに長い程度でよく、上述のようにロープの巻き取りと巻き解きによる繰り出しとを別々に行う場合のように一対のドラムで合計して掻寄台車１の走行長さの倍の巻き取り長さを要することがない。このため、ドラム４Ａの巻き取り部４Ｂにおける外径やドラム回転軸線Ｏ方向の長さを小さくしてドラム４Ａの小型化を図ることができる。
【００３０】
従って、上記構成のスラッジ掻寄機によれば、こうしてドラム４Ａの小型化を図ることにより、ドラム４Ａの製造コストを削減することができて経済的であるのは勿論、巻き取り装置４の設置スペースもコンパクト化することができて、この巻き取り装置４が設置される沈澱池Ａの地上部Ｅを有効に利用することが可能となり、効率的である。また、特に本実施形態のように、巻き取り装置４がそのドラム４Ａを側壁Ｃに対して突き出すように沈澱池Ａ上に配設されている場合でも、こうしてドラム４Ａが突き出した巻き取り装置４を支持するための支持部材なども小型化することができるので、一層効率的かつ経済的である。
【００３１】
さらに、こうしてドラム４Ａが側壁Ｃに対して突き出すように沈澱池Ａ上に配設されているのに合わせて、本実施形態ではこのドラム４Ａから延びるロープ３の両端側部分３Ａ、３Ｂが最初に巻き掛けられる第１滑車２Ａ、２Ｂも、側壁Ｃに上記ブラケット等の支持部材を介して滑車回転軸線Ｘ回りに回転自在に取り付けられており、従ってドラム４Ａおよび第１滑車２Ａ、２Ｂが地上部Ｅにあって、この地上部Ｅの第１滑車２Ａ、２Ｂから他の滑車２を介してロープ３が沈澱池Ａ内に渡されるような場合に比べ、滑車２の数を削減することができる。このため、コストもさらに削減することができてより経済的であるとともに、スラッジ掻寄機の装置構造の簡略化を図ることができ、さらに滑車２との接触によるロープ３の摩耗も軽減してロープ３の寿命の延長を図ることができる。
【００３２】
また、このように第１滑車２Ａ、２Ｂが側壁Ｃに取り付けられていて、これら第１滑車２Ａ、２Ｂの滑車回転軸線Ｘとドラム回転軸線Ｏとが互いに平行、かつ側壁Ｃに対して直交するようにされている場合において、上記構成の巻き取り装置４のように１つドラム４Ａの巻き取り部４Ｂでロープ３の一端側部分３Ａと他端側部分３Ｂとが巻き取られる部分が交互に重なり合うようにされていることにより、本実施形態によれば、上述のように第１滑車２Ａ、２Ｂを支持するブラケット等の支持部材の側壁Ｃからの突き出し位置を互いに略等しくすることができる。
【００３３】
すなわち、上述のように一対のドラムの双方に巻き取り部を設けたりしてロープの巻き取りと巻き解きによる繰り出しとを別々に行う場合において、例えばこれらのドラムを回転駆動する駆動手段を本実施形態のように１つにしようとして該一対のドラムをドラム回転軸線方向に一体化したとすると、やはり本実施形態のようにこのドラム回転軸線と第１滑車の滑車回転軸線を互いに平行かつ沈澱池の側壁に対して直交するようにした場合には、一対のドラムの一方は他方よりも側壁から大きく突き出てしまうため、この一方のドラムに巻き取られるロープが最初に巻き掛けられる一方の第１滑車の側壁からの突き出し位置も他方の第１滑車の突き出し位置よりも大きくなってしまう。
【００３４】
従って、そのような場合には、この一方の第１滑車を支持するブラケット等の支持部材を長くしなければならなくなって、該支持部材を高強度、高剛性としなければ、一方の第１滑車を安定して支持することができなくなるおそれがあるが、本実施形態では上述のように１つドラム４Ａの１つの巻き取り部４Ｂでロープ３の一端側部分３Ａと他端側部分３Ｂとが巻き取られる部分が交互に重なり合うようにされていて、双方の第１滑車２Ａ、２Ｂをこの巻き取り部４Ｂの位置に合わせて配設すればよいので、このように第１滑車２Ａ、２Ｂのうちいずれか一方を支持する支持部材を長くする必要がなく、両方の第１滑車２Ａ、２Ｂを安定して支持することが可能となる。
【００３５】
一方、本実施形態では、沈澱池Ａの底面Ｂに２台の掻寄台車１が互いに走行経路を平行にして配設されていて、これらの掻寄台車１を１つの巻き取り装置４によって走行させるのに、巻き取り装置４が平面視においてこれら走行経路の間の中央に位置するようにして地上部Ｅに設置され、そのドラム４Ａから両走行経路側の第１滑車２Ａ、２Ｂに向けてロープ３が沈澱池Ａの底面Ｂに対して斜めに延びる向きに渡されており、例えば第１滑車をドラムの直下に設けてロープを渡し、そこから両掻寄台車１の走行経路に向けて水平にロープを延ばした場合などと比べ、滑車２の数をさらに削減することができるとともにロープ３の全長を短くすることができ、そしてこれらドラム４Ａと第１滑車２Ａ、２Ｂ間の距離は長くすることができる。
【００３６】
このため、本実施形態によれば、滑車２の数の削減やロープ３の全長の短縮によってコストもさらに削減され、またロープ３の摩耗も一層低減することができるとともに、ドラム４Ａと第１滑車２Ａ、２Ｂ間の距離が長くなることにより、上述したフリートアングルを小さくすることができるので、ドラム４Ａにおけるロープ３の乱巻きや乗り上がり、および第１滑車２Ａ、２Ｂにおけるロープの摩耗や脱落を防ぐことが可能となり、長期に亙って安定したスラッジの掻き寄せを促すことができる。
【００３７】
一方、逆にフリートアングルを上述のような所定の規格の上限に設定した場合には、ドラム４Ａと第１滑車２Ａ、２Ｂとの距離が長くなることにより、ドラム４Ａの巻き取り部４Ｂのドラム回転軸線Ｏ方向の長さを長くすることができ、ロープの巻き数を増やすことができる。このため、巻き取り部４Ｂの外径を小さくしても掻寄台車１を走行させるのに必要な長さのロープ３を巻き取ることが可能となり、これによりドラム４Ａを回転駆動する駆動手段４Ｃに必要なトルクの低減を図ることができるので、駆動手段４Ｃのモータ等を駆動力の小さなものとしたり減速機において二次減速機を廃止して必要な減速比を低減したりするなど、さらなる効率化、低コスト化を促すことが可能となる。
【００３８】
なお、本実施形態では、上述のように２台の掻寄台車１を１つの巻き取り装置４によって走行させるのに伴い、巻き取り装置４をこれらの掻寄台車１の走行経路の平面視中央に配置することによってこのようにドラム４Ａと第１滑車２Ａ、２Ｂ間でロープ３が斜めに延びるようにしているが、例えば１台の掻寄台車１を１つの巻き取り装置４によって走行させる場合でも、この巻き取り装置４のドラム４Ａと沈澱池Ａの側壁Ｃに配設された第１滑車２Ａ、２Ｂとの間でロープ３を底面Ｂに対して斜めに渡してドラム４Ａと第１滑車２Ａ、４Ｂとの距離を長くするようにしてもよい。
【００３９】
なお、ロープ３は、１本のロープ３の両端をドラム４Ａの巻き取り部４Ｂの両端部に連結するとともに、このロープ３の沈澱池Ａ内に渡された部分の途中に掻寄台車１を連結するようにしてもよく、また２本のロープ３のうち一方のロープ３の一端を巻き取り部４Ｂの一端部に、他端を掻寄台車１に連結するとともに、他方のロープ３の一端を巻き取り部４Ｂの他端部に他端を掻寄台車１に連結し、さらに上記実施形態のように複数の掻寄台車１を有する場合にはこれらを連結するロープ３を備えるなどして、ロープ３と掻寄台車１とが直列に連結され、ドラム４Ａの回転により掻寄台車１を駆動させる構造としてもよい。すなわち、本発明は、使用するロープ３の本数が限定されるものではない。
【００４０】
さらに、本実施形態では第１滑車２Ａ、２Ｂを沈澱池Ａの側壁Ｃに滑車回転軸線Ｘが直交するように配設するとともに、これら第１滑車２Ａ、２Ｂにロープ３が最初に巻き掛けられるように、巻き取り装置４のドラム４Ａも側壁Ｃに対してドラム回転軸線Ｏが直交する方向に突き出して沈澱池Ａ上に配設されるようにしているが、ドラム４Ａの巻き取り部４Ｂへのロープ３の巻き方が上述の通りであれば、ドラム４Ａや図３に示した変形例のように第１滑車２Ａ、２Ｂが地上部Ｅに配設されて、そこから複数の滑車２を介してロープ３が沈澱池Ａ内に渡されていてもよい。
【符号の説明】
【００４１】
１  掻寄台車
２  滑車
２Ａ、２Ｂ  第１滑車
３  ロープ
３Ａ  ロープ３の一端側部分
３Ｂ  ロープ３の他端側部分
４  巻き取り装置
４Ａ  ドラム
４Ｂ  巻き取り部
４Ｃ  駆動手段
Ｏ  ドラム回転軸線
Ｘ  第１滑車２Ａ、２Ｂの滑車回転軸線
【図１】
0005501275.tif 000002
【図２】
0005501275.tif 000003
【図３】
0005501275.tif 000004